(57)【要約】      （修正有）【課題】挟み込む展示物のサイズや数を制限しなく、拡張性・レイアウト性に優れた展示物の固定連結装置を提供する。【解決手段】四隅に固定連結補助穴の開いた板材３の２枚で展示物を挟み込み、固定連結装置２内の固定連結補助突起を、板材の固定連結補助穴に合致させ、弾力性・柔軟性のある素材で作られた固定連結装置の厚み方向への力と共に、板材の四隅を固定、または、隣合う一辺を連結することでユニットを構成するものであり、固定・連結させる板材の数や大きさを問わないため、展示物の上下・左右方向への平面展開や、固定連結装置を複数組み合わせた立体的な形状展開や規格外のサイズ展開を可能とする特徴を持つ。【選択図】図７
0003183035.tif 000002
【実用新案登録請求の範囲】
【請求項１】
固定連結装置は、弾力性・柔軟性のある素材で作られており、拡張性・レイアウト性に優れるため、上下・左右方向への展示物の平面展開や、固定連結装置を複数組み合わせた立体的な形状展開、規格外のサイズ展開も考慮される。
【請求項２】
固定連結装置は、弾力性・柔軟性のある素材で作られており、展示物を固定・連結するという機能以外に、展示物と展示物を挟む板材を保護する機能も考慮される。
【請求項３】
固定連結装置内の固定連結補助突起は、展示物と板材を挟み、厚み方向の力で固定する上で、固定位置を定め、固定力を増すことも考慮される。
【請求項４】
展示使用の場合、２枚の板の内、少なくとも一枚は透明板であり、残りの一枚は、多種多様な不透明素材との組合せも考慮される。仕切りやパーティションなど、展示使用以外の場合は、板材の数や素材の組合せは無数考慮される。
【考案の詳細な説明】
【技術分野】
【０００１】本考案は、拡張性・レイアウト性に優れた展示物の固定連結装置に関する
【背景技術】
【０００２】一般的に、木材や金属、紙やプラスチックなど、多種多様な素材をフレームに使用した、規格サイズの展示製品が普及している。
【考案の概要】
【考案が解決しようとする課題】
【０００３】しかしながら、従来の展示製品は、規格サイズのフレーム内に展示物を封入するため、展示物のサイズやレイアウトに制限があり、結果として展示物の表現内容を制限するという欠点があった。
【課題を解決するための手段】
【０００４】本考案は、展示物を挟む板材２枚のコーナー部に取り付け、板材２枚と展示物を厚み方向に挟み込むことで固定する固定本体と、隣合う一辺で固定本体同士を連結する連結部を有する、展示物の固定連結装置である。固定連結装置は弾力性・柔軟性のある素材で作られており、展示物を板材２枚で挟み厚み方向の力で固定する方式である。そのため、規格サイズ以外の大きさの板材コーナー部にも取り付け可能で、様々なサイズの展示物を挟み込むことが可能である。また、隣合う一辺で固定本体同士を連結する連結部を有するため、新たに板材を追加・固定するだけで展示物の展開が可能である。これは、家族写真の追加や、屏風など連続性のある展示物など、展示物を自由にレイアウト・展開できる新規性と拡張性を有するということである。以上のことより、本考案は、上記課題である展示物の拡張性とレイアウト性の制限を解決するものである。
【考案の効果】
【０００５】本考案に係る展示物の固定連結装置は、挟み込む展示物のサイズや数を制限しないため、消費者が展示物を自由に拡張および、レイアウト出来る点において、従来の展示製品より実用的である。
【図面の簡単な説明】
【０００６】
【図１】本考案に係る弾力性・柔軟性のある素材で作った固定装置を示した平面図である。
【図２】本考案に係る弾力性・柔軟性のある素材で作った固定装置を示した断面図である。
【図３】本考案に係る弾力性・柔軟性のある素材で作った固定連結装置を示した平面図である。
【図４】本考案に係る弾力性・柔軟性のある素材で作った固定連結装置を示した断面図である。
【図５】本考案に係る四隅に連結補助穴を開けた板材を示した平面図である。
【図６】本考案に係る展示物の固定連結装置の基本構成を示した平面図である。
【図７】本考案に係る展示物の固定連結装置の連結の様子を示した平面図である。
【図８】本考案に係る展示物の固定連結装置の拡張性とレイアウト性を示した平面図である。
【図９】本考案に係る展示物の固定連結装置の柔軟性を示した平面図である。
【考案を実施するための形態】
【０００７】図７で示したように、図１の固定装置、図３の固定連結装置、および図５の四隅に六の開いた板材を組合せ固定・連結する。固定および連結の方法としては、符号４の固定連結補助突起を符号５の固定連結補助穴にはめ込み、固定状態を維持する。
【産業上の利用可能性】
【０００８】ポスターや絵画などの美術品展示への利用や、サイズを拡大して見本市などの展示備品への利用、パーティションや建築仕切りなどへの利用、家族写真や記念物の個人使用目的の展示への利用、または、飲食店での折り畳みメニューやスタンドメニューとしての利用が予想される。
【置換・転用・設計変更・均等物・材質・用途】
【０００９】素材、カラーバリエーション、固定連結装置の形状変更が予想される。
【符号の説明】
【００１０】１．弾力性・柔軟性のある素材で作られた固定装置
２．弾力性・柔軟性のある素材で作られた固定連結装置
３．四隅に連結補助穴を開けた板材
４．固定連結補助突起
５．固定連結補助穴
【図１】
0003183035.tif 000003
【図２】
0003183035.tif 000004
【図３】
0003183035.tif 000005
【図４】
0003183035.tif 000006
【図５】
0003183035.tif 000007
【図６】
0003183035.tif 000008
【図７】
0003183035.tif 000009
【図８】
0003183035.tif 000010
【図９】
0003183035.tif 000011
【手続補正書】
【提出日】平成24年11月2日(2012.11.2)
【手続補正１】
【補正対象書類名】実用新案登録請求の範囲
【補正対象項目名】全文
【補正方法】変更
【補正の内容】
【実用新案登録請求の範囲】
【請求項１】
固定連結装置とは、四隅に固定連結補助穴の開いた板材２枚で展示物を挟み込み、固定連結装置内の固定連結補助突起を、板材の固定連結補助穴に合致させ、弾力性・柔軟性のある素材で作られた固定連結装置の厚み方向への力と共に、板材の四隅を固定、または、隣合う一辺を連結することでユニットを構成するものであり、固定・連結させる板材の数や大きさを問わないため、展示物の上下・左右方向への平面展開や、固定連結装置を複数組み合わせた立体的な形状展開や規格外のサイズ展開を可能とする特徴を持つ。
【請求項２】
弾力性・柔軟性のある素材で作られている固定連結装置は、展示物を固定・連結する以外に、展示物と展示物を挟む板材を保護することを特徴とする請求項１記載の固定連結装置。
【請求項３】
固定連結装置内の固定連結補助突起は、展示物と板材を挟み、厚み方向の力で固定する上で、固定位置を定め、固定力を増すことを特徴とする請求項１記載の固定連結装置。
【請求項４】
展示物を挟む板材２枚の内、少なくとも一枚は透明板であり、残りの一枚は、使用目的に合わせて多種多様な不透明素材との組合せを可能とすることを特徴とする請求項１記載の固定連結装置。
【手続補正書】
【提出日】平成25年1月28日(2013.1.28)
【手続補正１】
【補正対象書類名】実用新案登録請求の範囲
【補正対象項目名】請求項１
【補正方法】変更
【補正の内容】
【請求項１】
横長の長方形の一角を三角形に削ぎ落とした固定装置を単体とし、固定装置を左右対称に繋いだ、蝶々の様な形状を固定連結装置とし、切り込みの入った内部には固定連結補助突起と呼ぶ、半円状の突起物を有する構造を有し、四隅に固定連結補助穴の開いた板材２枚で展示物を挟み込み、固定連結補助突起を、板材の固定連結補助穴に合致させ、弾力性・柔軟性のある素材で作られた固定連結装置の厚み方向への力と共に、板材の四隅を固定、または、隣合う一辺を連結することでユニットを構成するものである固定連結装置。